【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
像を複写シートに印刷するように構成された電子写真式装置において、
前記複写シート上に像を処理して記録するイメージング装置と、
前記像を現像する像現像装置と、
前記像を前記複写シート上に転写する転写装置と、
前記複写シート上に前記像を永久に定着させるために前記複写シートが搬送されるニップをその間に形成する定着ロール及び加圧ロールを含み、前記複写シート上に前記像を定着させる定着器とを備え、前記定着ロールが、異なる媒体幅を加熱するための複数のタップを有する単一の抵抗トレースを備えるヒータを含み、前記複数のタップのうちの１つが前記単一の抵抗トレースのほぼ中央に配置され、前記単一の抵抗トレースのほぼ中央にある前記複数のタップのうちの１つが共通トレースである、電子写真式装置。
【請求項２】
前記複数のタップが、複数の導電性トレースを備える、請求項１に記載の電子写真式装置。
【請求項３】
前記複数の導電性トレースが前記単一の抵抗トレースの反対側の端部に端部トレースを含む、請求項２に記載の電子写真式装置。
【請求項４】
前記単一の抵抗トレースが、低温領域補償部を含むように構成される、請求項３に記載の電子写真式装置。
【請求項５】
前記低温領域補償部が、前記単一の抵抗トレース内に縮小された領域を含む、請求項４に記載の電子写真式装置。
【請求項６】
前記縮小された領域が、タップの反対側の前記単一の抵抗トレースに、前記単一の抵抗トレース内部に配置される、請求項５に記載の電子写真式装置。
【請求項７】
定着器を含む電子写真式印刷装置において、前記定着器が、
加圧ロールと、
前記シート上に像を永久に定着させるためにシートが搬送されるニップをその間に形成する定着ロールとを備え、前記定着ロールが、異なるシート幅を加熱する複数のタップを有する単一の抵抗トレースを有するヒータを含み、前記複数のタップが、前記単一の抵抗トレースの中央まわりに配置されたタップを含み、
前記単一の抵抗トレースの前記中央まわりにおける前記タップが、前記単一の抵抗トレースの異なる加熱領域を発射するときに専用の共通ラインとして機能する、電子写真式印刷装置。
【請求項８】
前記単一の抵抗トレースの前記中央における前記タップが、前記単一の抵抗トレースの下流側に配置される、請求項７に記載の電子写真式印刷装置。
【請求項９】
前記単一の抵抗トレースの前記中央における前記タップの反対側の前記単一の抵抗トレース内に配置される低温領域補償部を含む、請求項７に記載の電子写真式印刷装置。
【請求項１０】
前記低温領域補償部が、前記単一の抵抗トレースのくぼみである、請求項９に記載の電子写真式印刷装置。
【請求項１１】
前記単一の抵抗トレースが、前記単一の抵抗トレースの片面に１つのくぼみを含み、前記単一の抵抗トレースの反対面に１つのくぼみを含む、請求項１０に記載の電子写真式印刷装置。
【請求項１２】
前記単一の抵抗トレースが、低温領域補償のために、その片面に２つのくぼみを含み、その別の面に１つだけのくぼみを含む、請求項７に記載の電子写真式印刷装置。
【請求項１３】
複写シートに像を印刷するように構成された印刷装置において、
前記複写シート上に像を処理して記録するイメージング装置と、
前記像を現像する像現像装置と、
前記像を前記複写シート上に転写する転写装置と、
前記複写シート上に前記像を永久に定着させるために前記複写シートが搬送されるニップをその間に形成する定着ロール及び加圧ロールを含み、前記複写シート上に前記像を定着させるための定着器とを備え、前記定着ロールが、単一の抵抗トレースと、前記単一の抵抗トレース内にタップを有する複数の導電性トレースとを有するヒータを含み、前記単一の抵抗トレースが、その中央部において共通のトレースタップを含む、印刷装置。
【請求項１４】
前記単一の抵抗トレースの前記中央部における前記タップが、前記単一の抵抗トレースの異なる加熱領域を発射するときに専用の共通ラインとして使用される、請求項１３に記載の印刷装置。
【請求項１５】
前記単一の抵抗トレースが、前記タップによって形成された低温領域を軽減するために前記タップの反対側の内部に縮小を含む、請求項１３に記載の印刷装置。
【請求項１６】
前記単一の抵抗トレースが、その端部において、シリアル制御のためにその中央部とは異なる抵抗率レベルを有する、請求項１３に記載の印刷装置。
【請求項１７】
前記単一の抵抗トレースおよび前記複数の導電性トレースが、セラミック基材に搭載される、請求項１６に記載の印刷装置。
【請求項１８】
前記共通のトレースタップが、０ボルトである、請求項１３に記載の印刷装置。
【手続補正２】
【補正対象書類名】明細書
【補正対象項目名】発明の名称
【補正方法】変更
【補正の内容】
【発明の名称】固体ヒータにおける温度レベル及び／又は抵抗増加のための方法
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
現在のいずれかの中央登録固体ヒータは、例えば、米国特許第５，１７１，９６９号明細書；米国特許第６，４２３，９４１号明細書；米国特許第６，５８０，８８３号明細書及び米国特許第７，１９３，１８１号明細書に示されるように、１つのトレース上の複数のタップイン間を切り替えるために複数の加熱トレース又はリレーを必要とする。複数の加熱トレースは、１つの加熱トレースのみが熱伝達にとって最適な位置にすることができるため、伝熱性能、それゆえに拡張性を損なうことが示されている。中間の加熱トレース導電性タップインを有する構成は、ラティチュードを生じさせて損なう低温領域を有し、余分なピンによる大きな引き出し接続を必要とする。複数のタップイン設計を有する現在の単一の加熱トレースは、複数のトレース設計と比較して余分な引き出しコネクタピンを必要とし、シリアル制御又は媒体幅の完全な知識のいずれかを必要とする。
【手続補正５】
【補正対象書類名】明細書
【補正対象項目名】０００８
【補正方法】変更
【補正の内容】
【０００８】
以前の固体ヒータの上述した欠点への回答において、異なる媒体幅を加熱するために複数のタップインを有する単一の抵抗加熱トレースを含むようにヒータを構成することによって画像形成されたシートに接触する定着器の表面における均一性を提供する中央登録ヒータを含む改善された定着器が開示されている。タップインは、加熱トレースの中央において右側に配置される。そして、このラインは、異なる加熱領域に発射するときに専用の共通部として機能することができる。
開示されたプリンタ及び定着システムは、従来の制御システムの適切な動作によって動作されて制御される。多数の先行特許及び商業製品によって教示されているように、従来の又は汎用マイクロプロセッサについてのソフトウェア命令によってイメージング、印刷、紙処理並びに他の制御機能及びロジックをプログラミングして実行することは周知であって好ましい。そのようなプログラミング又はソフトウェアは、勿論、利用される特定の機能、ソフトウェアタイプ及びマイクロプロセッサ又は他のコンピュータシステムに応じて変化することができるが、本願明細書において提供されるもの及び／又はコンピュータ技術のソフトウェアにおける一般的な知識とともに従来の機能の事前知識など、機能的記述が利用可能であるか又は機能的記述から過度の実験をすることなく容易にプログラミング可能である。あるいは、いかなる開示された制御システム又は方法も、標準論理回路又は単一チップＶＬＳＩ設計を使用して部分的又は完全にハードウェアにおいて実装されることができる。